(57)【特許請求の範囲】
【請求項１】
複数の貫通孔を形成した貫通孔形成領域に隣接して、複数の有底の非貫通孔を形成した非貫通孔形成領域を備え、これら貫通孔と非貫通孔とにより外観面に複数の開口部が連続して設けられるグリルであって、
前記非貫通孔形成領域において、前記貫通孔形成領域側に配置される非貫通孔の深さが、前記貫通孔形成領域から離隔した側の非貫通孔の深さよりも深く形成されており、
前記非貫通孔形成領域の前記非貫通孔は、前記貫通孔形成領域に隣接する側から離隔する側にかけて複数列設けられており、各列の非貫通孔の深さが、前記隣接する側から前記離隔する側にかけて段階的に小さく設けられており、
前記非貫通孔の反対側の下面から内部に向けた厚さは、前記隣接する側から前記離間する側にかけて段階的に大きく設けられていることを特徴とするグリル。
【請求項２】
前記非貫通孔形成領域は、前記貫通孔形成領域を取り囲むように形成されていることを特徴とする請求項１に記載のグリル。
【請求項３】
前記非貫通孔の底部は、乱反射面とされていることを特徴とする請求項１又は２に記載のグリル。
【請求項４】
前記外観面には、前記非貫通孔形成領域に隣接して、外観デザイン領域が設けられており、前記外観デザイン領域には、前記非貫通孔形成領域の前記外観デザイン領域側に配置される非貫通孔の深さと同じ深さの非貫通孔が複数形成されていることを特徴とする請求項１から３のいずれか一項に記載のグリル。
【請求項５】
前記貫通孔は、前記グリルの外観面から内部に向けて縮径するとともに、その反対側の下面から内部に向けて縮径して設けられていることを特徴とする請求項１から４のいずれか一項に記載のグリル。
【請求項６】
前記貫通孔形成領域の範囲は、スピーカ又はマイクのユニットの口径に合わせられていることを特徴とする請求項１から５のいずれか一項に記載のグリル。
【請求項７】
請求項１から６のいずれか一項に記載のグリルを備えることを特徴とする音響機器。
【発明の詳細な説明】
【技術分野】
【０００１】
本発明は、スピーカやマイクを備える音響機器や空調家具の前面等に配置されるグリル及び、そのグリルを用いた音響機器に関する。
【背景技術】
【０００２】
一般的なスピーカやマイクを備える音響機器においては、スピーカの振動板等を保護するとともに、粉塵等の侵入を防ぐために、スピーカやマイクの前面等を覆うグリルが装着される。そして、グリルには、音を通過させるために、複数個の貫通孔が設けられる。この場合、貫通孔形成領域の周囲を貫通孔のない平滑面に形成しておくと、貫通孔形成領域が周囲の領域から浮いたように見える。このため、機器の外観意匠を損ねることがないように、貫通孔形成領域の周囲に、貫通孔と同径の有底の非貫通孔を設けることが行われている。
【０００３】
例えば、特許文献１に開示されるスピーカグリルにおいては、意匠面に、孔部（貫通孔）と同径の有底凹部（非貫通孔）が複数設けられている。そして、特許文献１には、有底凹部を、スピーカグリルの裏面において補強リブが形成される位置に形成することにより、グリルの強度低下を防ぐことができるとともに、あたかも複数の孔部が連続して配置されるようにすることができ、意匠面の見栄えを維持できることが記載されている。
【先行技術文献】
【特許文献】
【０００４】
【特許文献１】特開２００９‐２４８６４０号公報
【発明の概要】
【発明が解決しようとする課題】
【０００５】
ところが、貫通孔は外光を反射させずに透過させるが、非貫通孔は底部で外光を反射させることから、貫通孔と非貫通孔とでは明度差が生じ、貫通孔を形成した領域と非貫通孔を形成した領域との間で境界が認知されやすい。
この点、貫通孔の孔径を非貫通孔の孔径よりも小さくすることで、各形成領域間の境界を認知されにくくすることも行われているが、貫通孔の孔径を小さくすることで、スピーカの効率低下や特性劣化の要因となることが懸念される。
【０００６】
本発明は、このような事情に鑑みてなされたもので、音響効率を損ねることがなく、優れた外観意匠を備えるグリル及び音響機器を提供することを目的とする。
【課題を解決するための手段】
【０００７】
本発明は、複数の貫通孔を形成した貫通孔形成領域に隣接して、複数の有底の非貫通孔を形成した非貫通孔形成領域を備え、これら貫通孔と非貫通孔とにより外観面に複数の開口部が連続して設けられるグリルであって、前記非貫通孔形成領域において、前記貫通孔形成領域側に配置される非貫通孔の深さが、前記貫通孔形成領域から離隔した側の非貫通孔の深さよりも深く形成されており、前記非貫通孔形成領域の前記非貫通孔は、前記貫通孔形成領域に隣接する側から離隔する側にかけて複数列設けられており、各列の非貫通孔の深さが、前記隣接する側から前記離隔する側にかけて段階的に小さく設けられており、前記非貫通孔の反対側の下面から内部に向けた厚さは、前記隣接する側から前記離間する側にかけて段階的に大きく設けられている。
【０００８】
非貫通孔は、深さが増すほど外光が内部に入射しづらくなることから、非貫通孔の深さを深くすることにより、底部から反射する外光の強度を低くして、明度を暗くすることができる。そこで、本発明では、貫通孔形成領域に近い非貫通孔の深さを深く形成し、貫通孔形成領域から離隔した側の非貫通孔の深さを浅く形成して、異なる深さの非貫通孔を設けることにより、貫通孔形成領域に近い位置の非貫通孔の明度を、貫通孔形成領域から離れた位置の非貫通孔の明度よりも暗く設定している。これにより、グリルの外観面において視認される貫通孔と非貫通孔の明度差を小さくして、貫通孔形成領域と非貫通孔形成領域との間の境界をぼかすことができるので、優れた外観意匠を形成することができる。
また、貫通孔形成領域に隣接して、有底の非貫通孔を形成した非貫通孔形成領域を設けることにより、全領域を貫通孔で形成する場合と比較して、グリルの強度の向上を図ることができる。
さらに、非貫通孔の深さが増すにしたがって、非貫通孔の底部からの外光の反射強度が低くなり、明度が徐々に暗くなる。このため、貫通孔形成領域に接続される非貫通孔形成領域の貫通孔形成領域に隣接する側から離隔する側にかけて、非貫通孔の深さを小さくして段階的に変化させることにより、貫通孔形成領域から離れるにつれて明度を徐々に暗く変化させたグラデーションを形成することができる。したがって、貫通孔形成領域と非貫通孔形成領域との間のぼかし効果を高めて、外観意匠の意匠性を向上させることができる。
【００１１】
本発明のグリルにおいて、前記非貫通孔形成領域は、前記貫通孔形成領域を取り囲むように形成されているとよい。
グリルの貫通孔形成領域と非貫通孔形成領域との間の境界をぼかすことで、見かけ上のスピーカ又はマイクのユニットの口径を大きく見せることができる。
【００１２】
本発明のグリルにおいて、前記非貫通孔の底部は、乱反射面とされているとよい。
非貫通孔の底部を乱反射面とすることにより、非貫通孔の底部から反射して外部に漏れる外光の強度をさらに低くできる。このため、グリルの厚みが小さく、非貫通孔の深さが浅く形成される場合でも、底部に乱反射面を設けることにより、貫通孔と非貫通孔との明度差を小さくすることができる。また、非貫通孔の深さのパラメータと合わせて、非貫通孔の底部の形状を変更することにより、各非貫通孔の明度をさらに細かく調整でき、意匠性をさらに向上させることができる。なお、乱反射面としては、例えば、シボ加工面、微小なＲ面やすり鉢状等の形状を採用することができる。
【００１３】
本発明のグリルにおいて、前記外観面には、前記非貫通孔形成領域に隣接して、外観デザイン領域が設けられ、前記外観デザイン領域には、前記非貫通孔形成領域の前記外観デザイン領域側に配置される非貫通孔の深さと同じ深さの非貫通孔が複数形成されていると、全体が統一されたデザインとなり、より意匠性に優れたものとなる。
非貫通孔形成領域に隣接して非貫通孔を複数形成した外観デザイン領域を設けて、貫通孔形成領域と外観デザイン領域との間を非貫通孔形成領域により接続することにより、外観面の全体に開口部が形成され、開口部により統一された外観意匠を形成することができる。また、貫通孔形成領域と外観デザイン領域との間の明度差を非貫通孔形成領域により接続してぼかすことができるので、貫通孔形成領域から外観デザイン領域にかけて、連続的に明度が変化する統一感のある外観意匠を形成することができる。
【００１４】
本発明のグリルにおいて、前記貫通孔は、前記グリルの外観面から内部に向けて縮径するとともに、その反対側の下面から内部に向けて縮径して設けられているとよい。
本発明のグリルにおいて、前記貫通孔形成領域の範囲は、スピーカ又はマイクのユニットの口径に合わせられているとよい。
【００１５】
本発明の音響機器は、前記グリルを備えることを特徴とする。
【発明の効果】
【００１６】
本発明によれば、所望の領域に貫通孔を形成したグリルを形成することができる。また、このグリルを音響機器等に適用することにより、音響効率を損ねることがなく、貫通孔形成領域と非貫通孔形成領域との間の境界をぼかして優れた外観意匠を備えた音響機器を構成することができる。また、本発明に係るグリルは、貫通孔を通して空気も移動できるため、給排気用機器のグリルとしても適用可能である。
【図面の簡単な説明】
【００１７】
【図１】本発明の一実施形態のグリルを用いた音響機器の斜視図である。
【図２】図１の音響機器の（ａ）が正面図、（ｂ）が側面図である。
【図３】図２のＡ‐Ａ線に沿う矢視断面図である。
【図４】図１におけるグリルの中央部の要部図である。
【図５】図３におけるグリルの中央部の要部断面図である。
【発明を実施するための形態】
【００１８】
以下、本発明を音響機器に適用した実施形態について図面を参照して説明する。
図１及び図２は本発明の一実施形態の音響機器１００であり、具体的にはスピーカとマイクとを備えるマイクスピーカとして構成されるものである。この音響機器１００は、図示は省略するが、卓面上等に設置して据え置きされ、例えば遠隔会議システム等の音声入出力端末として使用される。
【００１９】
音響機器１００は、１個のスピーカ６１と３個のマイク６２とを備えており、これらスピーカ６１とマイク６２とは、図２（ａ）に示すように、平面視が全体として正三角形の頂部を円弧状に丸めた形状に形成された筐体１０の内部に収容されている。筐体１０は、卓面上等に載置されるベース２０と、このベース２０の上に被せられるように取り付けられるグリル３０とを備えている。そして、ベース２０の中央部にスピーカ６１が配置され、各マイク６２は、このスピーカ６１を取り囲むようにして、ベース２０の各コーナ部に１個ずつ配置されており、各マイク６２により、１２０°間隔をあけて異なる三方向の収音が行えるようになっている。また、グリル３０の外観面３０ｆは、中央部からコーナ部にかけて下り勾配のなだらかな凸曲面に形成されている。
【００２０】
そして、ベース２０上に取り付けられたスピーカ６１及びマイク６２の前面等を覆うようにして、グリル３０がベース２０に装着されることにより、スピーカ６１及びマイク６２がベース２０とグリル３０との間の筐体１０の内部に収容されている。以降の説明では、図１において上側に配置されるグリル３０側を上又は前、卓面上等に設置されるベース２０側を下又は後とするように上下方向又は前後方向を設定して説明を行う。
【００２１】
グリル３０には、スピーカ６１とマイク６２とが配置される位置、すなわちスピーカ６１とマイク６２との前面に、グリル３０の厚み方向に貫通する放音又は収音を行うための複数の貫通孔４１を形成した貫通孔形成領域Ｅ１が設けられ、これらの貫通孔４１を介して筐体１０内部のスピーカ６１による外部への放音、及びマイク６２による外部からの収音が行われるようになっている。また、スピーカ６１の前面に配置される貫通孔形成領域Ｅ１の周囲には、図４及び図５に示すように、貫通孔形成領域Ｅ１に隣接して、貫通孔４１と同径の開口部を有する有底の非貫通孔５１〜５３を複数形成した非貫通孔形成領域Ｅ２が設けられる。さらに、この非貫通孔形成領域Ｅ２の周囲にも、この非貫通孔形成領域Ｅ２に隣接して、貫通孔４１と同径の開口部を有する有底の非貫通孔５３を複数形成した外観デザイン領域Ｅ３が設けられている。これにより、グリル３０の外観面３０ｆには、操作部３１を除くほぼ全面に、貫通孔４１及び非貫通孔５１〜５３により複数の開口部が連続して設けられる。
【００２２】
また、貫通孔４１及び非貫通孔５１〜５３の各開口部は、１個の開口部の周囲に６個の開口部が配置され、それぞれの開口部が等間隔に配置されている。そして、非貫通孔形成領域Ｅ２に形成される非貫通孔５１〜５３は、図４及び図５に示すように、貫通孔形成領域Ｅ１側に配置される内側の非貫通孔５１の深さｈ１が、貫通孔形成領域Ｅ１から離隔した外側の非貫通孔５３の深さｈ３よりも深く形成されている。また、非貫通孔５１〜５３は、貫通孔形成領域Ｅ１に隣接する側から離隔する側にかけて、すなわち、非貫通孔形成領域Ｅ２の内側から外側にかけて複数列、この場合は三列設けられており、各非貫通孔５１〜５３の深さｈ１〜ｈ３が、図５に示すように、内側から外側にかけて段階的に小さく設けられている。すなわち、貫通孔４１と隣接する最も内側の一列目の非貫通孔５１の深さｈ１に比べて、その一列目の非貫通孔５１に隣接する二列目の非貫通孔５２の深さｈ２は小さく（浅く）設けられている。また同様に、二列目の非貫通孔５２の深さｈ２に比べて、その二列目の非貫通孔５２に隣接する三列目の非貫通孔５３の深さｈ３は小さく設けられ、貫通孔形成領域Ｅ１から離れるにつれて、徐々に非貫通孔５１〜５３の深さｈ１〜ｈ３が浅く設定されている。
そして、非貫通孔形成領域Ｅ２に隣接する外観デザイン領域Ｅ３には、この非貫通孔形成領域Ｅ２の最も外側の外観デザイン領域Ｅ３側に配置される非貫通孔５３、すなわち三列目の非貫通孔５３の深さｈ３と同じ深さｈ３の非貫通孔５３が形成されている。
【００２３】
なお、グリル３０の外観面３０ｆは、中央部の貫通孔形成領域Ｅ１からコーナ部の外観デザイン領域Ｅ３にかけて下り勾配の凸曲面に形成されているが、各非貫通孔５１〜５３の深さｈ１〜ｈ３は、グリル３０の厚み方向において、外観面３０ｆから各非貫通孔５１〜５３の底部までの最も大きい寸法を基準とする。図５に示すグリル３０においては、例えば一列目の非貫通孔５１の深さｈ１が１．５ｍｍ、二列目の非貫通孔５２の深さｈ２が１．２ｍｍ、三列目以降の非貫通孔５３の深さｈ３が１．０ｍｍとされる。
【００２４】
なお、このように構成されるグリル３０は、例えばポリカーボネート樹脂、ＡＢＳ樹脂等の合成樹脂等の剛性の高い材料を用いて射出成形により形成される。そして、本実施形態のグリル３０においては、貫通孔４１は、図５に示すように、グリル３０の外観面３０ｆから内部に向けて縮径するとともに、その反対側の下面３０ｂから内部に向けて縮径して設けられ、貫通孔４１の途中にくびれを有した形状とされるが、これは、成形時の離型性を考慮して、抜きテーパを設けるとともに、貫通孔４１の内部に金型の上型と下型との合わせ目を設けたことによる。なお、貫通孔４１や非貫通孔５１〜５３の形状は、デザインや加工条件によって種々変更されるものであり、本実施形態の形状に限定されるものではない。また同様に、各貫通孔４１及び非貫通孔５１〜５３の開口部の形状も円形に限定されるものではなく、デザインに合わせて変更されるものである。
なお、貫通孔４１及び非貫通孔５１〜５３は、ドリル加工によって形成することもできる。
【００２５】
このように構成されるグリル３０において、有底の非貫通孔５１〜５３は、深さが増すほど外光が内部に入射しづらくなることから、非貫通孔５１〜５３の深さを深くすることにより、底部から反射する外光の強度を低くして、明度を暗くすることができる。グリル３０では、複数設けられる非貫通孔５１〜５３のうち、貫通孔形成領域Ｅ１に隣接する非貫通孔５１（一列目の非貫通孔５１）の深さｈ１を最も深く形成しており、貫通孔形成領域Ｅ１から離れるにつれて段階的に深さを浅くした非貫通孔５２、非貫通孔５３を設けていることから、貫通孔形成領域Ｅ１に近い位置の非貫通孔５１の明度を、貫通孔形成領域Ｅ１から離れた位置の非貫通孔５３の明度よりも暗くできる。このように、貫通孔形成領域Ｅ１に接続される非貫通孔形成領域Ｅ２の貫通孔形成領域Ｅ１に隣接する側から離隔する側にかけて非貫通孔５１〜５３の深さｈ１〜ｈ３を小さくして段階的に変化させることにより、グリル３０の外観面３０ｆに、貫通孔形成領域Ｅ１から離れるにつれて明度を徐々に明るく変化させたグラデーションを形成することができる。
【００２６】
また、非貫通孔形成領域Ｅ２に隣接して非貫通孔５３を複数形成した外観デザイン領域Ｅ３を設けて、貫通孔形成領域Ｅ１と外観デザイン領域Ｅ３との間を非貫通孔形成領域Ｅ２により接続することとしているので、グリル３０の外観面３０ｆの全体に貫通孔４１及び非貫通孔５１〜５３の開口部が形成され、これら開口部により統一された外観意匠を形成することができる。そして、グリル３０の外観面３０ｆにおいて視認される貫通孔４１と非貫通孔５１〜５３の境界部分の明度差を小さくして、貫通孔形成領域Ｅ１と非貫通孔形成領域Ｅ２との間の境界をぼかすことができるので、貫通孔形成領域Ｅ１から外観デザイン領域Ｅ３にかけて、連続的に明度が変化する統一感のある優れた外観意匠を形成することができる。
【００２７】
なお、深さを変更した非貫通孔５１〜５３は、貫通孔形成領域Ｅ１の周縁部から一様に、規則的に配置することや、一列ごとに深さを変更することに限定されるものではなく、二列ごとに深さを変更する等の調整が可能である。また、非貫通孔形成領域を形成する面積も自由に変更可能であり、本実施形態のように、非貫通孔形成領域Ｅ２を三列で構成することに限定されるものではない。
【００２８】
また、非貫通孔の底部から反射する外光の強度を抑制するという観点においては、非貫通孔の底部にシボ加工を施したり、微小なＲ面を形成したり、すり鉢状に形成したりする等して、乱反射面に形成するとよい。例えば、本実施形態では、非貫通孔形成領域Ｅ２の一列目の非貫通孔５１の底部をＲ面５１ａで形成しており、平坦面で形成する場合と比較して、非貫通孔の底部から反射して外部に漏れる外光の強度をさらに低くできる。このため、グリルの厚みが小さく、非貫通孔の深さが浅く形成される場合でも、底部に乱反射面を設けることにより、貫通孔と非貫通孔との明度差を小さくすることができる。また、非貫通孔の深さのパラメータと合わせて、非貫通孔の底部の形状を変更することにより、各非貫通孔の明度をさらに細かく調整でき、意匠性をさらに向上させることができる。したがって、優れた外観意匠を備える音響機器１００を形成することができる。
【００２９】
また、本実施形態のグリル３０のように、貫通孔形成領域Ｅ１に隣接して、有底の非貫通孔５１〜５３を形成した非貫通孔形成領域Ｅ２を設けることにより、グリル３０の外観面３０ｆの全領域を貫通孔４１で形成する場合と比較して、グリル３０の強度の向上を図ることができる。
さらに、グリル３０においては、貫通孔形成領域Ｅ１はスピーカ又はマイクのユニットの口径に合わせて正確に形成されているにもかかわらず、貫通孔形成領域Ｅ１と非貫通孔形成領域Ｅ２との間の境界をぼかしているので、見かけ上のスピーカ又はマイクのユニットの口径を大きく見せることができる。
【００３０】
なお、この実施形態のような非貫通孔形成領域を有しない従来のグリル、例えば特許文献１に開示のスピーカグリルにおいては、見かけ上のスピーカのユニットの口径を大きく見せるために、貫通孔形成領域をユニットの口径よりも大きく形成した場合には、ユニットの口径よりも外側の貫通孔から逆相音が回り込みやすくなるため、効率低下を招きやすくなる。また、貫通孔形成領域が広がることにより、筐体内部へ粉塵等が侵入しやすくなることや、グリルの強度低下を招くことが懸念される。
これに対して、本実施形態のグリル３０では、貫通孔形成領域Ｅ１の範囲はスピーカ又はマイクのユニットの口径に合わせたうえで、非貫通孔形成領域Ｅ２を設けることによって、見かけ上のスピーカ６１のユニットの口径を大きく見せることができ、かつ、逆相音の回り込みや、筐体１０内部への粉塵等の侵入を防止できる。
【００３１】
なお、本発明は上記実施形態に限定されるものではなく、本発明の趣旨を逸脱しない範囲において種々の変更を加えることが可能である。
例えば、上記実施形態では、グリル３０の外観デザイン領域Ｅ３に複数の非貫通孔５３を設けることにより、外観面３０ｆを、貫通孔形成領域Ｅ１から外観デザイン領域Ｅ３にかけて開口部が連続して形成されたデザインとしていたが、外観デザイン領域Ｅ３に非貫通孔を設けることなく、他の形状を施すデザインとすることも可能である。
【００３２】
また、上記実施形態では、貫通孔形成領域Ｅ１と非貫通孔形成領域Ｅ２が隣接するとともに、貫通孔形成領域Ｅ１を非貫通孔形成領域Ｅ２が取り囲むデザインとしたが、非貫通孔形成領域Ｅ２が貫通孔形成領域Ｅ１を取り囲むデザインとせずに、貫通孔形成領域Ｅ１と非貫通孔形成領域Ｅ２が隣接する態様としてもよい。この場合、非貫通孔形成領域Ｅ２に設けられた非貫通孔の深さは、貫通孔形成領域Ｅ１に最も近接するところが最も深く、貫通孔形成領域Ｅ１から離隔するにつれて浅くなるように形成される。
また、上記実施形態では、本発明のグリルが音エネルギーを扱う音響機器のグリルを構成する例を示したが、本発明のグリルは貫通孔を介して空気も移動できることから、音響機器以外の各種用途の電子機器、例えばパソコンや、空調等の熱エネルギーを扱う機器、家具等の通気孔（貫通孔）を形成する際の給排気用のグリルとしても適用することができる。
【符号の説明】
【００３３】
１０…筐体、２０…ベース、３０…グリル、３０ｆ…外観面、４１…貫通孔、５１〜５３…非貫通孔、６１…スピーカ、６２…マイク、１００…音響機器、Ｅ１…貫通孔形成領域、Ｅ２…非貫通孔形成領域、Ｅ３…外観デザイン領域
【図１】
0006631090.tif 000002
【図２】
0006631090.tif 000003
【図３】
0006631090.tif 000004
【図４】
0006631090.tif 000005
【図５】
0006631090.tif 000006